(57)【要約】【課題】  迅速な設置を可能にすると共に、通気機能及び防水機能の信頼性の高い換気雨押えを提供する。【解決手段】  換気雨押え１は外壁７１及び屋根材７２よりなる雨押え部分７０に設置されており、カバー部材１０と、カバー部材１０の下面に取り付けられた幅方向の断面が台形形状の換気部材２０とから主に構成されている。カバー部材１０は、屋根材７２から所定距離離れた傾斜部１１と垂直部１５とを備えている。換気部材２０は、幅方向に貫通する多数の通気孔を有しており、その上底に対応する面が傾斜部１１の下方側に位置するように、プレート部材３１によって傾斜部１１に取り付けられている。このように、換気雨押え１においては、雨押え部分７０に対応した形状のカバー部材１０に換気部材２０が一体化された状態となっている。従って、換気雨押え１の雨押え部分７０への取り付けが容易になると共に、通気機能及び防水機能の信頼性が向上する。【選択図】  図７
2013032621.tif 000002
【特許請求の範囲】
【請求項１】
垂直に延びる母屋の外壁と、前記外壁の途中から外方に向かって斜め下方に延び、その頂点部分に開口が形成された下屋の屋根材とで構成される雨押え部分に設置する換気雨押えであって、
前記屋根材に対して所定距離離れた平行状態で幅方向に向かって斜め下方に延びる、長手方向に平行な換気口が形成された傾斜部と、前記外壁の外方側にシール状態で設置され、前記傾斜部の頂点から垂直上方に延びる垂直部とを有するカバー部材と、
前記傾斜部の下面における前記換気口と前記開口の上方に対応する部分との間に取付けられ、前記幅方向の断面が四角形形状を有すると共に前記長手方向に延びる棒形状を有し、前記幅方向に一方の側面から他方の側面へ貫通する複数の通気孔を有する換気部材と、
前記換気部材と前記屋根材との間に設けられ、これらの間を遮水するシール手段とを備えた、換気雨押え。
【請求項２】
前記シール手段は、
前記換気部材の下面に接するように前記長手方向に延びると共に、その両端部において前記カバー部材から支持されるプレート部材と、
前記プレート部材の下面と前記屋根材との間に設置され、前記長手方向に延びるシール部材とを含む、請求項１記載の換気雨押え。
【請求項３】
前記カバー部材、前記換気部材及び前記シール手段は、一体化状態で前記屋根材に設置される、請求項１又は請求項２記載の換気雨押え。
【請求項４】
前記換気部材は、前記幅方向の断面が台形形状を有し、その下底より短い上底に対応する面が前記傾斜部の下面側に位置するように取付けられる、請求項１から請求項３のいずれかに記載の換気雨押え。
【請求項５】
前記カバー部材の前記傾斜部の下面であって、少なくとも前記開口の上方に対応する部分に取付けられた断熱材を更に備えた、請求項１から請求項４のいずれかに記載の換気雨押え。
【請求項６】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２３ｍｍである、請求項１から請求項５のいずれかに記載の換気雨押え。
【発明の詳細な説明】
【技術分野】
【０００１】
この発明は換気雨押えに関し、特に、家屋における下屋の小屋裏空間の自然換気を図るために、母屋の外壁と下屋の屋根材とで構成される雨押え部分に設置する換気雨押えに関するものである。
【背景技術】
【０００２】
図８は特許文献１で開示された換気雨押えの雨押え部分への取付状態を示す端面図であり、図９は図８で示した換気雨押えの取付方法を説明する概略斜視図である。
【０００３】
まず図８を参照して、換気雨押え５０は、上下に組み合わされた一対の長尺部材５１、５２と、長尺部材間に設置された中間部材５３とを備えている。
【０００４】
上方側の長尺部材５１は、その頂点から幅方向（図の右方向）に向かって斜め下方に延びる板形状の傾斜部５５と、傾斜部５５の頂点から垂直上方に延びる立ち上がり部５６と、傾斜部５５の下方端部に接続され下方に延びる垂直壁５７とから構成されている。尚、垂直壁５７の下端には開口孔５８が形成されている。
【０００５】
上方側の長尺部材５１の下方に設置された中間部材５３は、幅方向の断面が凹凸状の板形状に形成されており、２つの垂直壁６６ａ、６６ｂの各々には、上下の異なる位置に開口孔６７ａ、６７ｂが形成されている。従って、中間部材５３の幅方向の一方端部から他方端部までが、上下に迂曲する通路によって連通状態となる。
【０００６】
中間部材５３の下方に設置された下方側の長尺部材５２は、上方側に位置する長尺部材５１の傾斜部５５とほぼ平行である傾斜部６１と、傾斜部６１の上方端部に接続され上方に延びる傾斜壁６２と、傾斜部６１の下方端部に接続され上方に延び、上方側の長尺部材５１の垂直壁５７より外方側に位置する垂直壁６３と、垂直壁６３の上端部に接続され斜め下方に延びる防風板６４とから構成されている。尚、傾斜部６１の下面には図示しないシーラーが取付けられている。
【０００７】
このような換気雨押え５０は、母屋の外壁７１と、外壁７１の途中から外方に向かって斜め下方に延びる野地板７６、ルーフィング７７及び瓦７８を有する下屋の屋根材７２とで構成される雨押え部分７０に設置される。尚、野地板７６、ルーフィング７７及び瓦７８の頂点部分には、開口孔７９が図９で示すように長手方向に所定間隔で複数形成されている。
【０００８】
取付けに際しては、外壁７１に胴縁８４やサイディング８１が取付けられていない状態で、換気雨押え５０の下方側の長尺部材５２の傾斜部６１を瓦７８上に配置すると共に、上方側の長尺部材５１の立ち上がり部５６を外壁７１に沿って配置する。そして、この状態で長尺部材５１、５２及び中間部材５３を釘６９等によって外壁７１と屋根材７２とに固定する。そして、上方側の長尺部材５１の立ち上がり部５６の外面に通気シート８０を貼着した後、胴縁８４及びサイディング８１を取付ける。
【０００９】
又、図９で示すように、換気雨押え５０ａ、５０ｂの各々は開口孔７９の各々に対して設置される。そして、長手方向に隣接する換気雨押え５０ａ、５０ｂの間には笠木５９を設置し、笠木５９及び換気雨押え５０ａ、５０ｂの一方端部の各々を覆うように、通気機能を有さない雨押え６０を設置する。
このようにして設置された換気雨押え５０は、通気機能と防水機能とを合わせて発揮することになる。通気にあっては、図の矢印で示されているように下屋の小屋裏から排出された空気は開口孔７９を介して中間部材５３を通過し、長尺部材５１、５２の垂直壁５７、６３の間を介して外部に排出される。一方、長尺部材５１、５２の垂直壁５７、６３の間から浸入した雨水は、凹凸状の中間部材５３によって阻止されると共に、下方側の長尺部材５２の傾斜壁６２によって阻止される。このようにして、従来の換気雨押え５０は通気性能と防水性能とを合わせて発揮する構成となっている。
【先行技術文献】
【特許文献】
【００１０】
【特許文献１】特許第３９３５１６９号公報
【発明の概要】
【発明が解決しようとする課題】
【００１１】
上記のような従来の換気雨押えでは、設置時に上方側の長尺部材に対して下方側の長尺部材や中間部材を組合わせた状態で雨押え部分に取付ける必要があるため、迅速な設置が困難であった。
【００１２】
又、雨水の浸入は中間部材及び下方側の長尺部材の傾斜壁によって堰き止めて防止しているため、雨量が極端に増加した時の防水機能としての信頼性が十分ではなかった。
【００１３】
この発明は、上記のような課題を解決するためになされたもので、迅速な設置を可能にすると共に、通気機能及び防水機能の信頼性の高い換気雨押えを提供することを目的とする。
【課題を解決するための手段】
【００１４】
上記の目的を達成するために、請求項１記載の発明は、垂直に延びる母屋の外壁と、外壁の途中から外方に向かって斜め下方に延び、その頂点部分に開口が形成された下屋の屋根材とで構成される雨押え部分に設置する換気雨押えであって、屋根材に対して所定距離離れた平行状態で幅方向に向かって斜め下方に延びる、長手方向に平行な換気口が形成された傾斜部と、外壁の外方側にシール状態で設置され、傾斜部の頂点から垂直上方に延びる垂直部とを有するカバー部材と、傾斜部の下面における換気口と開口の上方に対応する部分との間に取付けられ、幅方向の断面が四角形形状を有すると共に長手方向に延びる棒形状を有し、幅方向に一方の側面から他方の側面へ貫通する複数の通気孔を有する換気部材と、換気部材と屋根材との間に設けられ、これらの間を遮水するシール手段とを備えたものである。
【００１５】
このように構成すると、換気部材はカバー部材に一体化される。
【００１６】
請求項２記載の発明は、請求項１記載の発明の構成において、シール手段は、換気部材の下面に接するように長手方向に延びると共に、その両端部においてカバー部材から支持されるプレート部材と、プレート部材の下面と屋根材との間に設置され、長手方向に延びるシール部材とを含むものである。
【００１７】
このように構成すると、換気部材が保護され、シール性が安定する。
【００１８】
請求項３記載の発明は、請求項１又は請求項２記載の発明の構成において、カバー部材、換気部材及びシール手段は、一体化状態で屋根材に設置されるものである。
【００１９】
このように構成すると、換気部材に加えてシール手段もカバー部材に一体化される。
【００２０】
請求項４記載の発明は、請求項１から請求項３のいずれかに記載の発明の構成において、換気部材は、幅方向の断面が台形形状を有し、その下底より短い上底に対応する面が傾斜部の下面側に位置するように取付けられるものである。
【００２１】
このように構成すると、換気部材の幅方向の断面が下方側において大きくなる。
【００２２】
請求項５記載の発明は、請求項１から請求項４のいずれかに記載の発明の構成において、カバー部材の傾斜部の下面であって、少なくとも開口の上方に対応する部分に取付けられた断熱材を更に備えたものである。
【００２３】
このように構成すると、気流によるカバー部材からの結露が防止される。
【００２４】
請求項６記載の発明は、請求項１から請求項５のいずれかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２３ｍｍであるものである。
【００２５】
このように構成すると、一定要件下における水の浸入が確実に阻止される。
【発明の効果】
【００２６】
以上説明したように、請求項１記載の発明は、換気部材はカバー部材に一体化されるため、換気雨押えの雨押え部分への取付が容易になると共に、通気機能及び防水機能の信頼性が向上する。
【００２７】
請求項２記載の発明は、請求項１記載の発明の効果に加えて、換気部材が保護され、シール性が安定するため、設置状態の信頼性が向上する。
【００２８】
請求項３記載の発明は、請求項１又は請求項２記載の発明の効果に加えて、換気部材に加えてシール手段もカバー部材に一体化されるため、換気雨押えの雨押え部分への取付が更に容易になる。
【００２９】
請求項４記載の発明は、請求項１から請求項３のいずれかに記載の発明の効果に加えて、換気部材の幅方向の断面が下方側において大きくなるため、傾斜部の下面における換気部材の取付部分の面積に対して、断面が矩形形状のものに比べて遮水性能が向上する。
【００３０】
請求項５記載の発明は、請求項１から請求項４のいずれかに記載の発明の効果に加えて、気流によるカバー部材からの結露が防止されるため、結露による水滴の落下防止により信頼性が向上する。
【００３１】
請求項６記載の発明は、請求項１から請求項５のいずれかに記載の発明の効果に加えて、一定要件下における水の浸入が確実に阻止されるため、換気雨押えの軽量化及びコスト低減に寄与する。
【図面の簡単な説明】
【００３２】
【図１】この発明の第１の実施の形態による換気雨押えの外観形状を示した平面図である。
【図２】図１で示したＩＩ−ＩＩラインの拡大断面図である。
【図３】図２で示したＩＩＩ−ＩＩＩラインの断面図である。
【図４】図２で示した換気部材の外観形状を示した概略斜視図である。
【図５】図１で示した換気雨押えの雨押え部分への第１の取付工程を示す概略端面図である。
【図６】図１で示した換気雨押えの雨押え部分への第２の取付工程を示す概略端面図である。
【図７】図１で示した換気雨押えの雨押え部分への取付状態を示す概略端面図である。
【図８】従来の換気雨押えの雨押え部分への取付状態を示す端面図である。
【図９】図８で示した換気雨押えの取付方法を説明する概略斜視図である。
【発明を実施するための形態】
【００３３】
図１はこの発明の第１の実施の形態による換気雨押えの外観形状を示した平面図であり、図２は図１で示したＩＩ−ＩＩラインの拡大断面図であり、図３は図２で示したＩＩＩ−ＩＩＩラインの断面図である。
【００３４】
これらの図を参照して、換気雨押え１は、鋼板のプレス加工によって形成されたカバー部材１０と、カバー部材１０の下面に取り付けられた換気部材２０とから主に構成されている。
【００３５】
カバー部材１０は、幅方向（図２の右方向）に向かって斜め下方に延びる傾斜部１１と、傾斜部１１の頂点４１から垂直上方に延びる垂直部１５とを備えている。又、傾斜部１１の下方側には、長手方向（図１の左右方向）に平行な換気口４２が複数形成されていると共に、後述する固定釘等を挿通させるための取付孔４３が長手方向に複数形成されている。更に、傾斜部１１の下方端には、傾斜部１１に対して垂直下方に延びる垂下部１２が接続されていると共に、垂下部１２の下方端には、傾斜部１１とほぼ平行に外方に延びるフランジ部１３が接続されている。
【００３６】
換気部材２０は、幅方向の断面が台形形状を有すると共に長手方向に延びる棒形状に形成されている。そして、その下底より短い上底に対応する面が、傾斜部１１の下面における換気口４２と後述する屋根材の開口の上方に対応する部分との間に取付けられている。換気部材２０の詳細な構造及び効果については後述する。
【００３７】
又、換気雨押え１は、換気部材２０の下方側に配置された、鋼板のプレス加工によって形成されたプレート部材３１と、プレート部材３１の上方側の下面に設置され、長手方向に延びる弾性体等よりなるシール部材３５とからなるシール手段を更に備えている。プレート部材３１は、換気部材２０の下面に接するように配置された長手方向に延びるプレート板３２と、プレート板３２の両端部の各々をカバー部材１０の傾斜部１１に固定するための断面Ｓ字状の固定板３３とから構成されている。尚、プレート板３２の上方側の端部には水切部３７が形成されている。又、固定板３３の各々は、その下面が換気部材２０の下方側に配置されると共に、その上面がリベット３８によって傾斜部１１に取り付けられている。
【００３８】
又、傾斜部１１の下面における換気部材２０から頂点４１までの間の部分には、断熱材１９が取付けられている。
【００３９】
次に、換気部材２０の詳細な構造について説明する。
【００４０】
図４は図２で示した換気部材の外観形状を示した概略斜視図である。
【００４１】
図を参照して、上述した通り、換気部材２０は幅方向の断面が台形形状を有し、長手方向に対してはカバー部材の傾斜部の長手方向の長さとほぼ同一長さを有する棒形状を有している。具体的には、換気部材２０は各々が凹凸断面形状を有する合成樹脂シートを複数積層した状態で熱融着によって相互に接続して一体化されている。そして、一方の側壁から他方の側壁へ貫通する通気孔２１が多数形成されている。
【００４２】
この実施の形態においては、台形断面形状の上底に対応する上面２３の幅方向の長さＡは２３ｍｍであり、下底に対応する下面２４の幅方向の長さＢは４０ｍｍであり、台形形状の高さに相当する長さＣは１８ｍｍとなっている。又、通気孔２１はほぼ１ｍｍ×４ｍｍの長方形形状の開口寸法に設定されている。尚、このような換気部材２０は、特許第２６１０３４２号において開示されている棟カバー材と基本的に同一構造である。これによって一定条件下にあっては、換気部材２０は通気孔２１を介しての通気を可能にすると共に、通気孔２１を介しての雨水の浸入を阻止する通気性能及び防水性能を発揮するものとなる。そして、このような換気部材２０を使用することによって、換気雨押えの軽量化及びコスト削減に寄与することになる。
【００４３】
このように、図１で示した換気雨押え１は、カバー部材１０と、通気性能及び防水性能を発揮する換気部材２０と、プレート部材３１及びシール部材３５よりなるシール手段とを一体化したものである。
【００４４】
次に、図１で示した換気雨押え１の雨押え部分への取付けについて説明する。
【００４５】
図５は図１で示した換気雨押えの雨押え部分への第１の取付工程を示す概略端面図である。
【００４６】
図を参照して、雨押え部分７０は、その外面に外壁下地８２が設置された母屋の外壁７１と、外壁７１の途中から外方に向かって斜め下方に延び、その頂点部分に長手方向に延びる矩形形状の開口７３が形成された下屋の屋根材７２とから構成されている。具体的には、屋根材７２は、図示しない垂木の上に設置された野地板８５と、野地板８５の上面に布設された防水紙８６と、防水紙８６の上に設置された下葺材８７と、下葺材８７の上に設置された平板瓦８８とから構成されている。又、開口７３の下方側の縁部に設けられた捨水切７５は、防水紙８６の上に取り付けられ、その状態で下葺材８７が設置されるものである。
【００４７】
このように構成された雨押え部分７０に、換気雨押え１を雨押え部分７０を覆うように斜め上方から外壁７１及び屋根材７２に向かって降下させる。すると、プレート部材３１及びシール部材３５が、開口７３より下方側の屋根材７２上に設置されると共に、フランジ部１３が若干の隙間を開けて屋根材７２上に設置される。即ち、プレート部材３１とシール部材３５とによって、換気部材２０と屋根材７２との間が遮水される。更に、カバー部材１０の垂直部１５の一方の全面が外壁下地８２に当接状態となる。
【００４８】
このようにして雨押え部分７０に換気雨押え１を設置すると、図６で示す状態となる。
【００４９】
図６は図１で示した換気雨押えの雨押え部分への第２の取付工程を示す概略端面図である。
【００５０】
図を参照して、第１の取付工程によって雨押え７０に設置された換気雨押え１に対して、図１で示した傾斜部１１の取付孔４３の各々の下方側に防水パッキン４４を取付けた状態で固定釘４５を挿入し、打ち込む。更に、垂直部１５においては、外壁下地８２を貫通するように外方側から外壁７１に向かって固定釘４６を打ち込む。このようにして、換気雨押え１を外壁７１及び屋根材７２に固定する。
【００５１】
次に、垂直部１５の外面上方を覆うように防水シート８３を外壁下地８２及び垂直部１５に貼着する。すると、垂直部１５が外壁下地８２の外方側にシール状態で設置される。次に、貼着した防水シート８３及び垂直部１５の外方側から、上下に延びる棒状の胴縁８４を長手方向（図を貫通する方向）に所定間隔で複数設置する。そして、複数の胴縁８４に架け渡すように、板状の外壁材８９を外方側から設置する。すると、図７で示す取付状態となる。
【００５２】
図７は図１で示した換気雨押えの雨押え部分への取付状態を示す概略端面図である。
【００５３】
図を参照して、第２の取付工程で説明した通り、防水シート８３、胴縁８４及び外壁材８９を設置することによって、換気雨押え１の雨押え部分７０への取付けが完了する。尚、胴縁８４の各々は長手方向に所定間隔をあけて取付けられているため、胴縁８４と外壁材８９との間には通気スペースが形成される。
【００５４】
又、従来例の図９で示したように、屋根材７２の開口７３が長手方向に複数形成されている場合には、隣接する換気雨押え１のカバー部材１０の各々の端部を重ね合わせた状態で、接着や固定釘等によってこれらを接続すれば良い。又は、従来例のように隣接する換気雨押えの間に笠木等を設置しても良い。
【００５５】
そして、上述した通り、通気性能及び防水性能を有する換気部材２０は、雨押え部分７０の形状に対応したカバー部材１０に一体化された状態となっている。そのため、換気雨押え１の雨押え部分７０への取付けが容易になると共に、通気機能及び防水機能の信頼性が向上する。更に、この実施の形態においては換気部材２０に加えてプレート部材３１及びシール部材３５よりなるシール手段もカバー部材１０に一体化された状態となっている。そのため、換気雨押え１の雨押え部分７０への取付けが更に容易になる。
【００５６】
又、シール手段であるプレート部材３１とシール部材３５とによって、換気部材２０が保護されると共に、換気部材２０と屋根材７２との間のシール性が安定する。従って、換気部材２０の耐久性が向上すると共に、換気雨押え１の設置状態の信頼性が向上する。
【００５７】
更に、カバー部材１０の傾斜部１１の下面に取り付けられた断熱材１９は、上述した通り傾斜部１１の下面における換気部材２０から頂点４１までの間の部分に取付けられている。即ち、取付状態においては断熱材１９が屋根材７２の開口７３の上方に位置している。従って、気流によるカバー部材１０からの結露が防止される。そのため、屋根材７２の開口７３を介しての下屋の小屋裏空間への水滴の落下が阻止されるので、換気雨押え１の信頼性が向上する。
【００５８】
そして、通気状態にあっては、矢印で示されているように屋根材７２の開口７３から上昇した空気は、換気部材２０側へと移動する。その後、換気部材２０の通気孔を介して外方側に通過する。そして、換気部材２０を通過した空気は傾斜部１１の換気口４２の各々を介して外方に排出される。
【００５９】
一方、雨水は主に換気口４２の各々を介して傾斜部１１の下方に浸入する。浸入した雨水は上述した通り換気部材２０の通気孔を介しては内方側に移動することが出来ないように構成されている。従って、浸入した雨水は、プレート部材３１の上面を介してフランジ部１３の下面と屋根材７２の上面との間の隙間から外方に流れ出ることになる。
【００６０】
尚、浸入した雨水は主にプレート部材３１の上面を移動するため、換気部材２０においては下方側を通過する雨水が上方側を通過する雨水より多くなる。そして、上述した通り、換気部材２０はその上底に対応する面が傾斜部１１の下面に取付けられている。従って、換気部材２０の幅方向の断面が下方側において大きくなるため、換気部材２０の各々に形成されている通気孔の長さは下方に行くに従って長くなることになる。即ち、換気部材２０は下方に行くに従って防水機能が高くなることになる。従って、傾斜部１１の下面における換気部材２０の取付部分の面積に対して、断面が矩形状のもの（上方と下方との防水機能が同一のもの）に比べて、換気部材２０の遮水性能が向上する。
【００６１】
そして、このような換気部材２０を使用することによって、傾斜部１１の下面における換気部材２０の取付部分の面積を小さくすることができる。即ち、傾斜部１１を幅方向に小さくすることができる。従って、幅方向にコンパクトな換気雨押え１となり、取扱いが容易になる。
【００６２】
尚、上記の実施の形態では、雨押え部分の構造を特定しているが、垂直に延びる母屋の外壁と、該外壁の途中から外方に向かって斜め下方に延び、その頂点部分に開口が形成された下屋の屋根材とを有する構造であれば、他の構造であっても同様に適用出来る。
【００６３】
又、上記の実施の形態では、カバー部材の傾斜部の下方端には垂下部及びフランジ部が接続されているが、傾斜部の設置状態が保持出来れば、垂下部及びフランジ部は無くても良い。
【００６４】
更に、上記の実施の形態では、換気部材の寸法、形状を特定しているが、同様の通気性能及び防水性能を発揮するものであって、幅方向の断面が四角形形状を有していれば、他の寸法、形状であっても良い。この場合、特許第２６１０３４２号の明細書に記載されている風雨試験と同一の条件で同一の効果を奏するものであることが好ましい。
【００６５】
更に、上記の実施の形態では、シール手段はプレート部材とシール部材とによって構成されているが、換気部材と屋根材との間を遮水するものであれば、他の形状及び部材で構成されていても良い。その場合、シール手段はカバー部材と一体化されていなくても良い。
【００６６】
更に、上記の実施の形態では、プレート部材はプレート板と固定板とによって構成されているが、換気部材の下面に接するように長手方向に延びると共に、その両端部においてカバー部材から支持されるものであれば、他の形状及び部材で構成されていても良い。
【００６７】
更に、上記の実施の形態では、屋根材の開口は長手方向に延びる矩形形状に形成されているが、例えば複数の矩形形状の開口が整列する不連続形状等、他の開口形状に形成されていても良い。
【００６８】
更に、上記の各実施の形態では、傾斜部の下面に断熱材が取り付けられているが、断熱材は傾斜部の下面であって少なくとも屋根材の開口の上方に対応する部分に取付けられていれば良い。又は、断熱材は無くても良い。
【符号の説明】
【００６９】
１…換気雨押え
１０…カバー部材
１１…傾斜部
１５…垂直部
１９…断熱材
２０…換気部材
２１…通気孔
３１…プレート部材
３５…シール部材
４１…頂点
４２…換気口
７０…雨押え部分
７１…外壁
７２…屋根材
７３…開口
尚、各図中同一符号は同一又は相当部分を示す。
【図１】
2013032621.tif 000003
【図２】
2013032621.tif 000004
【図３】
2013032621.tif 000005
【図４】
2013032621.tif 000006
【図５】
2013032621.tif 000007
【図６】
2013032621.tif 000008
【図７】
2013032621.tif 000009
【図８】
2013032621.tif 000010
【図９】
2013032621.tif 000011
【手続補正書】
【提出日】平成23年11月2日(2011.11.2)
【手続補正１】
【補正対象書類名】明細書
【補正対象項目名】００１４
【補正方法】変更
【補正の内容】
【００１４】
上記の目的を達成するために、請求項１記載の発明は、垂直に延びる母屋の外壁と、外壁の途中から外方に向かって斜め下方に延び、その頂点部分に開口が形成された下屋の屋根材とで構成される雨押え部分に設置する換気雨押えであって、屋根材に対して所定距離離れた平行状態で幅方向に向かって斜め下方に延びる、長手方向に平行な換気口が形成された傾斜部と、外壁の外方側にシール状態で設置され、傾斜部の頂点から垂直上方に延びる垂直部とを有するカバー部材と、傾斜部の下面における換気口と開口の上方に対応する部分との間に取付けられ、幅方向の断面が四角形形状を有すると共に長手方向に延びる棒形状を有し、幅方向に一方の側面から他方の側面へ貫通する複数の通気孔を有する換気部材と、換気部材と屋根材との間に設けられ、これらの間を遮水するシール手段とを備え、シール手段は、換気部材の下面に接するように長手方向に延びると共に、その両端部において固定板を介してカバー部材から支持されるプレート部材と、プレート部材の下面と屋根材との間に設置され、長手方向に延びるシール部材とを含み、カバー部材、換気部材及びシール手段は、一体化状態で屋根材に設置されるものである。
【手続補正２】
【補正対象書類名】明細書
【補正対象項目名】００１５
【補正方法】変更
【補正の内容】
【００１５】
このように構成すると、換気部材はカバー部材に一体化される。又、換気部材が保護され、シール性が安定する。更に、換気部材に加えてシール手段もカバー部材に一体化される。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項２記載の発明は、請求項１記載の発明の構成において、換気部材は、幅方向の断面が台形形状を有し、その下底より短い上底に対応する面が傾斜部の下面側に位置するように取付けられるものである。
【手続補正８】
【補正対象書類名】明細書
【補正対象項目名】００２２
【補正方法】変更
【補正の内容】
【００２２】
請求項３記載の発明は、請求項１又は請求項２記載の発明の構成において、カバー部材の傾斜部の下面であって、少なくとも開口の上方に対応する部分に取付けられた断熱材を更に備えたものである。
【手続補正９】
【補正対象書類名】明細書
【補正対象項目名】００２４
【補正方法】変更
【補正の内容】
【００２４】
請求項４記載の発明は、請求項１から請求項３のいずれかに記載の発明の構成において、換気部材は、各々が凹凸断面形状を有する合成樹脂シートを複数積層した状態で熱融着によって一体化され、通気孔はその断面がほぼ１ｍｍ×４ｍｍの長方形形状を有すると共に、その長さが少なくとも２３ｍｍであるものである。
【手続補正１０】
【補正対象書類名】明細書
【補正対象項目名】００２６
【補正方法】変更
【補正の内容】
【００２６】
以上説明したように、請求項１記載の発明は、換気部材はカバー部材に一体化されるため、換気雨押えの雨押え部分への取付が容易になると共に、通気機能及び防水機能の信頼性が向上する。又、換気部材が保護され、シール性が安定するため、設置状態の信頼性が向上する。更に、換気部材に加えてシール手段もカバー部材に一体化されるため、換気雨押えの雨押え部分への取付が更に容易になる。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
請求項２記載の発明は、請求項１記載の発明の効果に加えて、換気部材の幅方向の断面が下方側において大きくなるため、傾斜部の下面における換気部材の取付部分の面積に対して、断面が矩形形状のものに比べて遮水性能が向上する。
【手続補正１４】
【補正対象書類名】明細書
【補正対象項目名】００３０
【補正方法】変更
【補正の内容】
【００３０】
請求項３記載の発明は、請求項１又は請求項２記載の発明の効果に加えて、気流によるカバー部材からの結露が防止されるため、結露による水滴の落下防止により信頼性が向上する。
【手続補正１５】
【補正対象書類名】明細書
【補正対象項目名】００３１
【補正方法】変更
【補正の内容】
【００３１】
請求項４記載の発明は、請求項１から請求項３のいずれかに記載の発明の効果に加えて、一定要件下における水の浸入が確実に阻止されるため、換気雨押えの軽量化及びコスト低減に寄与する。
【手続補正１６】
【補正対象書類名】特許請求の範囲
【補正対象項目名】全文
【補正方法】変更
【補正の内容】
【特許請求の範囲】
【請求項１】
垂直に延びる母屋の外壁と、前記外壁の途中から外方に向かって斜め下方に延び、その頂点部分に開口が形成された下屋の屋根材とで構成される雨押え部分に設置する換気雨押えであって、
前記屋根材に対して所定距離離れた平行状態で幅方向に向かって斜め下方に延びる、長手方向に平行な換気口が形成された傾斜部と、前記外壁の外方側にシール状態で設置され、前記傾斜部の頂点から垂直上方に延びる垂直部とを有するカバー部材と、
前記傾斜部の下面における前記換気口と前記開口の上方に対応する部分との間に取付けられ、前記幅方向の断面が四角形形状を有すると共に前記長手方向に延びる棒形状を有し、前記幅方向に一方の側面から他方の側面へ貫通する複数の通気孔を有する換気部材と、
前記換気部材と前記屋根材との間に設けられ、これらの間を遮水するシール手段とを備え、
前記シール手段は、
前記換気部材の下面に接するように前記長手方向に延びると共に、その両端部において固定板を介して前記カバー部材から支持されるプレート部材と、
前記プレート部材の下面と前記屋根材との間に設置され、前記長手方向に延びるシール部材とを含み、
前記カバー部材、前記換気部材及び前記シール手段は、一体化状態で前記屋根材に設置される、換気雨押え。
【請求項２】
前記換気部材は、前記幅方向の断面が台形形状を有し、その下底より短い上底に対応する面が前記傾斜部の下面側に位置するように取付けられる、請求項１記載の換気雨押え。
【請求項３】
前記カバー部材の前記傾斜部の下面であって、少なくとも前記開口の上方に対応する部分に取付けられた断熱材を更に備えた、請求項１又は請求項２記載の換気雨押え。
【請求項４】
前記換気部材は、各々が凹凸断面形状を有する合成樹脂シートを複数積層した状態で熱融着によって一体化され、前記通気孔はその断面がほぼ１ｍｍ×４ｍｍの長方形形状を有すると共に、その長さが少なくとも２３ｍｍである、請求項１から請求項３のいずれかに記載の換気雨押え。